(57)【要約】【課題】表示品位の低下を抑制することが可能な表示装置を提供する。【解決手段】発光素子と、第１透明基板と、前記第１透明基板に設けられた第１透明電極と、前記発光素子と向かい合う第１側面を備えた第２透明基板と、前記第２透明基板に設けられた第２透明電極と、前記第１透明電極と前記第２透明電極との間に位置し、ポリマー及び液晶分子を含む液晶層と、第１紫外線カット層と、第２紫外線カット層と、を備え、前記液晶層は、前記第１紫外線カット層と前記第２紫外線カット層との間に設けられている、表示装置。【選択図】図３
2020181050.tif 000002
【特許請求の範囲】
【請求項１】
発光素子と、
第１透明基板と、
前記第１透明基板に設けられた第１透明電極と、
前記発光素子と向かい合う第１側面を備えた第２透明基板と、
前記第２透明基板に設けられた第２透明電極と、
前記第１透明電極と前記第２透明電極との間に位置し、ポリマー及び液晶分子を含む液晶層と、
第１紫外線カット層と、
第２紫外線カット層と、を備え、
前記液晶層は、前記第１紫外線カット層と前記第２紫外線カット層との間に設けられている、表示装置。
【請求項２】
前記第１紫外線カット層及び前記第２紫外線カット層の各々は、３８０ｎｍ以下の波長範囲の自然光の透過率が１０％以下であり、４００ｎｍ以上７００ｎｍ以下の波長範囲の自然光の透過率が８０％以上の分光特性を有している、請求項１に記載の表示装置。
【請求項３】
第３透明基板を備え、
前記第２紫外線カット層は、前記第２透明基板と前記第３透明基板とを貼り合わせる粘着層である、請求項１または２に記載の表示装置。
【請求項４】
前記第２紫外線カット層は、前記第２透明基板及び前記第３透明基板の各々と同等の屈折率を有している、請求項３に記載の表示装置。
【請求項５】
第３透明基板と、
前記第２透明基板と前記第３透明基板とを貼り合わせる粘着層と、を備え、
前記第２紫外線カット層は、前記第３透明基板の外面に設けられている、請求項１または２に記載の表示装置。
【請求項６】
前記第２紫外線カット層は、前記第３透明基板より小さい屈折率を有している、請求項５に記載の表示装置。
【請求項７】
前記第２紫外線カット層は、前記液晶層と前記第２透明基板との間に設けられている、請求項１または２に記載の表示装置。
【請求項８】
前記第１紫外線カット層は、前記第１透明基板の外面に設けられている、請求項１乃至７のいずれか１項に記載の表示装置。
【請求項９】
前記第１紫外線カット層は、前記第１透明基板より小さい屈折率を有している、請求項８に記載の表示装置。
【請求項１０】
前記第１紫外線カット層と前記第１透明基板との間に空気層が設けられている、請求項１乃至７のいずれか１項に記載の表示装置。
【請求項１１】
前記第１紫外線カット層は、前記第１透明基板と前記液晶層との間に設けられている、請求項１乃至７のいずれか１項に記載の表示装置。
【請求項１２】
前記第２透明基板は、前記第１側面とは異なる第２側面を備え、
前記第２側面に設けられた第３紫外線カット層を備えている、請求項１乃至１１のいずれか１項に記載の表示装置。
【発明の詳細な説明】
【技術分野】
【０００１】
本発明の実施形態は、表示装置に関する。
【背景技術】
【０００２】
近年、光に対して散乱性あるいは透明性を呈する光変調素子を備えた照明装置が種々提案されている。一例では、光変調素子は、光変調層として高分子分散液晶層を備えている。光変調素子は、導光板の背後に配置され、導光板の側面から入射した光を散乱するものである。
【先行技術文献】
【特許文献】
【０００３】
【特許文献１】特開２０１０−９２６８２号公報
【特許文献２】特開２０１６−５７３３８号公報
【発明の概要】
【発明が解決しようとする課題】
【０００４】
本実施形態の目的は、表示品位の低下を抑制することが可能な表示装置を提供することにある。
【課題を解決するための手段】
【０００５】
本実施形態によれば、
発光素子と、第１透明基板と、前記第１透明基板に設けられた第１透明電極と、前記発光素子と向かい合う第１側面を備えた第２透明基板と、前記第２透明基板に設けられた第２透明電極と、前記第１透明電極と前記第２透明電極との間に位置し、ポリマー及び液晶分子を含む液晶層と、第１紫外線カット層と、第２紫外線カット層と、を備え、前記液晶層は、前記第１紫外線カット層と前記第２紫外線カット層との間に設けられている、表示装置が提供される。
【図面の簡単な説明】
【０００６】
【図１】図１は、本実施形態の表示装置ＤＳＰの一構成例を示す平面図である。
【図２】図２は、図１に示した表示パネルＰＮＬの一構成例を示す断面図である。
【図３】図３は、表示装置ＤＳＰの第１構成例を示す断面図である。
【図４】図４は、紫外線カット層の分光特性を示す図である。
【図５】図５は、表示装置ＤＳＰの変形例を概略的に示す断面図である。
【図６】図６は、表示装置ＤＳＰの第２構成例を示す断面図である。
【図７】図７は、表示装置ＤＳＰの第３構成例を示す断面図である。
【図８】図８は、表示装置ＤＳＰの第４構成例を示す断面図である。
【図９】図９は、表示装置ＤＳＰの第５構成例を示す断面図である。
【図１０】図１０は、表示装置ＤＳＰの第６構成例を示す断面図である。
【図１１】図１１は、表示装置ＤＳＰの第７構成例を示す断面図である。
【図１２】図１２は、表示装置ＤＳＰの第８構成例を示す断面図である。
【図１３】図１３は、表示装置ＤＳＰの第９構成例を示す分解斜視図である。
【図１４】図１４は、図１３に示した表示装置ＤＳＰの平面図である。
【図１５】図１５は、第９構成例における表示装置ＤＳＰの変形例を示す平面図である。
【図１６】図１６は、表示装置ＤＳＰの第１０構成例を示す平面図である。
【発明を実施するための形態】
【０００７】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【０００８】
図１は、本実施形態の表示装置ＤＳＰの一構成例を示す平面図である。一例では、第１方向Ｘ、第２方向Ｙ、及び、第３方向Ｚは、互いに直交しているが、９０度以外の角度で交差していてもよい。第１方向Ｘ及び第２方向Ｙは、表示装置ＤＳＰを構成する基板の主面と平行な方向に相当し、第３方向Ｚは、表示装置ＤＳＰの厚さ方向に相当する。本実施形態においては、第１方向Ｘ及び第２方向Ｙで規定されるＸ−Ｙ平面を見ることを平面視という。
【０００９】
本実施形態においては、表示装置ＤＳＰの一例として、高分子分散型液晶を適用した液晶表示装置について説明する。表示装置ＤＳＰは、表示パネルＰＮＬと、配線基板１と、ＩＣチップ２と、光源装置３と、を備えている。
【００１０】
表示パネルＰＮＬは、第１基板ＳＵＢ１と、第２基板ＳＵＢ２と、液晶層ＬＣと、シールＳＥと、を備えている。第１基板ＳＵＢ１及び第２基板ＳＵＢ２は、Ｘ−Ｙ平面と平行な平板状に形成されている。第１基板ＳＵＢ１及び第２基板ＳＵＢ２は、平面視で、重畳している。第１基板ＳＵＢ１及び第２基板ＳＵＢ２は、シールＳＥによって接着されている。液晶層ＬＣは、第１基板ＳＵＢ１と第２基板ＳＵＢ２との間に保持され、シールＳＥによって封止されている。図１において、液晶層ＬＣ及びシールＳＥは、異なる斜線で示している。
【００１１】
図１において拡大して模式的に示すように、液晶層ＬＣは、ポリマー３１と、液晶分子３２と、を含む高分子分散型液晶を備えている。一例では、ポリマー３１は、液晶性ポリマーである。ポリマー３１は、第１方向Ｘに沿って延出した筋状に形成され、第２方向Ｙに並んでいる。液晶分子３２は、ポリマー３１の隙間に分散され、その長軸が第１方向Ｘに沿うように配向される。ポリマー３１及び液晶分子３２の各々は、光学異方性あるいは屈折率異方性を有している。ポリマー３１の電界に対する応答性は、液晶分子３２の電界に対する応答性より低い。
【００１２】
一例では、ポリマー３１の配向方向は、電界の有無にかかわらずほとんど変化しない。一方、液晶分子３２の配向方向は、液晶層ＬＣにしきい値以上の高い電圧が印加された状態では、電界に応じて変化する。液晶層ＬＣに電圧が印加されていない状態では、ポリマー３１及び液晶分子３２のそれぞれの光軸は互いに平行であり、液晶層ＬＣに入射した光は、液晶層ＬＣ内でほとんど散乱されることなく透過する（透明状態）。液晶層ＬＣに電圧が印加された状態では、ポリマー３１及び液晶分子３２のそれぞれの光軸は互いに交差し、液晶層ＬＣに入射した光は、液晶層ＬＣ内で散乱される（散乱状態）。
【００１３】
表示パネルＰＮＬは、画像を表示する表示部ＤＡと、表示部ＤＡを囲む額縁状の非表示部ＮＤＡと、を備えている。シールＳＥは、非表示部ＮＤＡに位置している。表示部ＤＡは、第１方向Ｘ及び第２方向Ｙにマトリクス状に配列された画素ＰＸを備えている。  
図１において拡大して示すように、各画素ＰＸは、スイッチング素子ＳＷ、画素電極ＰＥ、共通電極ＣＥ、液晶層ＬＣ等を備えている。スイッチング素子ＳＷは、例えば薄膜トランジスタ（ＴＦＴ）によって構成され、走査線Ｇ及び信号線Ｓと電気的に接続されている。走査線Ｇは、第１方向Ｘに並んだ画素ＰＸの各々におけるスイッチング素子ＳＷと電気的に接続されている。信号線Ｓは、第２方向Ｙに並んだ画素ＰＸの各々におけるスイッチング素子ＳＷと電気的に接続されている。画素電極ＰＥは、スイッチング素子ＳＷと電気的に接続されている。共通電極ＣＥは、複数の画素電極ＰＥに対して共通に設けられている。画素電極ＰＥの各々は、第３方向Ｚにおいて共通電極ＣＥと対向している。液晶層ＬＣ（特に、液晶分子３２）は、画素電極ＰＥと共通電極ＣＥとの間に生じる電界によって駆動される。容量ＣＳは、例えば、共通電極ＣＥと同電位の電極、及び、画素電極ＰＥと同電位の電極の間に形成される。
【００１４】
後に説明するが、走査線Ｇ、信号線Ｓ、スイッチング素子ＳＷ、及び、画素電極ＰＥは、第１基板ＳＵＢ１に設けられ、共通電極ＣＥは、第２基板ＳＵＢ２に設けられている。第１基板ＳＵＢ１において、走査線Ｇ及び信号線Ｓは、配線基板１あるいはＩＣチップ２と電気的に接続されている。
【００１５】
配線基板１及びＩＣチップ２は、第１基板ＳＵＢ１の延出部Ｅｘに実装されている。延出部Ｅｘは、第１基板ＳＵＢ１のうち第２基板ＳＵＢ２と重畳しない部分に相当する。配線基板１は、例えば折り曲げ可能なフレキシブルプリント回路基板である。ＩＣチップ２は、例えば、画像表示に必要な信号を出力するディスプレイドライバなどを内蔵している。なお、ＩＣチップ２は、配線基板１に実装されてもよい。
【００１６】
光源装置３は、複数の発光素子ＬＤを備えている。複数の発光素子ＬＤは、平面視で延出部Ｅｘに重畳している。これらの発光素子ＬＤは、第１方向Ｘに沿って間隔をおいて並んでいる。発光素子ＬＤは、例えば、発光ダイオードであり、詳述しないが、赤発光部、緑発光部、及び、青発光部を備えている。これらの発光素子ＬＤは、第２基板ＳＵＢ２の端部Ｅ２１に沿って配置され、端部Ｅ２１に向けて光を出射する。端部Ｅ２１は、平面視において、第１方向Ｘに沿って延出している。光源装置３は、発光素子ＬＤと端部Ｅ２１との間に透明な導光体が配置されてもよい。
【００１７】
図２は、図１に示した表示パネルＰＮＬの一構成例を示す断面図である。  
第１基板ＳＵＢ１は、透明基板１０と、絶縁膜１１及び１２と、容量電極１３と、スイッチング素子ＳＷと、画素電極ＰＥと、配向膜ＡＬ１と、を備えている。透明基板１０は、外面１０Ａと、外面１０Ａの反対側の内面１０Ｂと、を備えている。スイッチング素子ＳＷは、内面１０Ｂ側に設けられている。絶縁膜１１は、内面１０Ｂに設けられ、スイッチング素子ＳＷを覆っている。なお、図１に示した走査線Ｇ及び信号線Ｓは、透明基板１０と絶縁膜１１との間に設けられているが、ここでは図示を省略している。容量電極１３は、絶縁膜１１及び１２の間に設けられている。画素電極ＰＥは、絶縁膜１２と配向膜ＡＬ１との間において、画素ＰＸ毎に設けられている。つまり、容量電極１３は、透明基板１０と画素電極ＰＥとの間に設けられている。画素電極ＰＥは、容量電極１３の開口部ＯＰを介してスイッチング素子ＳＷと電気的に接続されている。画素電極ＰＥは、絶縁膜１２を挟んで、容量電極１３と重畳し、画素ＰＸの容量ＣＳを形成している。配向膜ＡＬ１は、画素電極ＰＥを覆っている。配向膜ＡＬ１は、液晶層ＬＣに接している。
【００１８】
第２基板ＳＵＢ２は、透明基板２０と、共通電極ＣＥと、配向膜ＡＬ２と、を備えている。透明基板２０は、内面２０Ａと、内面２０Ａの反対側の外面２０Ｂと、を備えている。透明基板２０の内面２０Ａは、第１透明基板１０の内面１０Ｂと向かい合っている。共通電極ＣＥは、内面２０Ａに設けられている。配向膜ＡＬ２は、共通電極ＣＥを覆っている。配向膜ＡＬ２は、液晶層ＬＣに接している。なお、第２基板ＳＵＢ２において、スイッチング素子ＳＷ、走査線Ｇ、及び、信号線Ｓの直上にそれぞれ遮光層が設けられてもよい。また、透明基板２０と共通電極ＣＥとの間、あるいは、共通電極ＣＥと配向膜ＡＬ２との間に、透明な絶縁膜が設けられてもよい。共通電極ＣＥは、複数の画素ＰＸに亘って配置され、第３方向Ｚにおいて、複数の画素電極ＰＥと対向している。また、共通電極ＣＥは、容量電極１３と電気的に接続されており、容量電極１３とは同電位である。  
液晶層ＬＣは、画素電極ＰＥと共通電極ＣＥとの間に位置している。
【００１９】
透明基板１０及び２０は、例えばガラス基板であるが、プラスチック基板などの絶縁基板であってもよい。絶縁膜１１は、例えば、シリコン酸化物、シリコン窒化物、シリコン酸窒化物などの透明な無機絶縁膜、及び、アクリル樹脂などの透明な有機絶縁膜を含んでいる。絶縁膜１２は、シリコン窒化物などの透明な無機絶縁膜である。容量電極１３、画素電極ＰＥ、及び、共通電極ＣＥは、インジウム錫酸化物（ＩＴＯ）やインジウム亜鉛酸化物（ＩＺＯ）などの透明導電材料によって形成された透明電極である。配向膜ＡＬ１及びＡＬ２は、Ｘ−Ｙ平面に略平行な配向規制力を有する水平配向膜である。一例では、配向膜ＡＬ１及びＡＬ２は、第１方向Ｘに沿って配向処理されている。なお、配向処理とは、ラビング処理であってもよいし、光配向処理であってもよい。  
本実施形態において、例えば、透明基板１０は第１透明基板に相当し、画素電極ＰＥは第１透明電極に相当し、透明基板２０は第２透明基板に相当し、共通電極ＣＥは第２透明電極に相当する。なお、透明基板１０が第２透明基板に相当し、透明基板２０が第１透明基板に相当する場合もありうる。この場合、画素電極ＰＥが第２透明電極に相当し、共通電極ＣＥが第１透明電極に相当する。
【００２０】
《第１構成例》  
図３は、表示装置ＤＳＰの第１構成例を示す断面図である。なお、表示パネルＰＮＬについては、主要部のみを簡略化して図示している。
【００２１】
表示装置ＤＳＰは、上記の表示パネルＰＮＬに加えて、第１紫外線カット層５１と、第２紫外線カット層５２と、透明基板（第３透明基板）３０と、を備えている。第１紫外線カット層５１及び第２紫外線カット層５２は、少なくとも液晶層ＬＣと第３方向Ｚに重畳する領域に設けられている。第１構成例では、第１紫外線カット層５１は透明基板１０の外面１０Ａに設けられ、第２紫外線カット層５２は透明基板２０の外面２０Ｂに設けられている。つまり、液晶層ＬＣは、第１紫外線カット層５１と第２紫外線カット層５２との間に設けられている。図３に示した例では、第１紫外線カット層５１及び第２紫外線カット層５２は、液晶層ＬＣに重畳する領域のみならず、液晶層ＬＣを囲むシールＳＥに重畳する領域まで延在している。例えば、第１紫外線カット層５１は外面１０Ａの全面に設けられ、また、第２紫外線カット層５２は外面２０Ｂの全面に設けられることが望ましい。第１紫外線カット層５１及び第２紫外線カット層５２の分光特性については後述する。
【００２２】
透明基板３０は、内面３０Ａと、内面３０Ａの反対側の外面３０Ｂと、を備えている。第２紫外線カット層５２は、透明基板２０の外面２０Ｂと透明基板３０の内面３０Ａとの間に介在し、透明基板２０と透明基板３０とを貼り合わせる粘着層として機能する。  
透明基板３０は、例えばガラス基板であるが、プラスチック基板などの絶縁基板であってもよい。透明基板３０は、透明基板１０及び２０と同等の屈折率を有している。第２紫外線カット層５２は、透明基板２０及び３０の各々と同等の屈折率を有している。なお、ここでの「同等」とは、屈折率差がゼロの場合に限らず、屈折率差が０．０３以下の場合を含む。
【００２３】
透明基板２０は側面２０Ｃを備え、透明基板３０は側面３０Ｃを備えている。側面２０Ｃは、図１に示した第２基板ＳＵＢ２の端部Ｅ２１に相当する。側面３０Ｃは、側面２０Ｃの直上に位置している。
【００２４】
光源装置３において、発光素子ＬＤは、第２方向Ｙにおいて、側面２０Ｃ及び側面３０Ｃと向かい合っている。発光素子ＬＤは、配線基板Ｆに電気的に接続されている。導光体ＬＧは、発光素子ＬＤと、側面２０Ｃ及び３０Ｃとの間に設けられ、発光素子ＬＤから出射された光Ｌ１を側面２０Ｃ及び３０Ｃに導くものである。導光体ＬＧは、粘着剤ＡＤ１により第１基板ＳＵＢ１に固定されるとともに、粘着剤ＡＤ２により配線基板Ｆに固定されている。粘着剤ＡＤ１及びＡＤ２は、反射層を含んでいる場合がある。
【００２５】
次に、図３を参照しながら、発光素子ＬＤから出射される光Ｌ１について説明する。  
発光素子ＬＤは、導光体ＬＧに向けて光Ｌ１を出射する。発光素子ＬＤから出射された光Ｌ１は、第２方向Ｙを示す矢印の向きに沿って進行し、導光体ＬＧを通り、側面２０Ｃから透明基板２０に入射するとともに、側面３０Ｃから透明基板３０に入射する。透明基板２０及び３０に入射した光Ｌ１は、繰り返し反射されながら、表示パネルＰＮＬの内部を進行する。電圧が印加されていない液晶層ＬＣに入射した光Ｌ１は、ほとんど散乱されることなく液晶層ＬＣを透過する。また、電圧が印加された液晶層ＬＣに入射した光Ｌ１は、液晶層ＬＣで散乱される。表示装置ＤＳＰは、外面１０Ａ側から観察可能であるとともに、外面３０Ｂ側からも観察可能である。また、表示装置ＤＳＰが外面１０Ａ側から観察された場合であっても、外面３０Ｂ側から観察された場合であっても、表示装置ＤＳＰを介して、表示装置ＤＳＰの背景を観察可能である。
【００２６】
図４は、紫外線カット層の分光特性を示す図である。  
図４の（Ａ）は、サンプルＳＰの分光透過率を測定する測定方法を説明するための図である。光源１０１及び検出器１０２は、向かい合って設けられている。透明なガラス基板１０３は、光源１０１と検出器１０２との間に設けられている。サンプルＳＰは、ガラス基板１０３上に設けられる。光源１０１は、ガラス基板１０３を介してサンプルＳＰに自然光を照射する。検出器１０２は、サンプルＳＰを透過した透過光を検出する。光源１０１から照射される自然光の全光量をＬｉとし、検出器１０２で検出されるサンプルＳＰの透過光量をＬｔとしたとき、透過率Ｔ（％）は、Ｌｔ／Ｌｉとして定義される。  
図４の（Ｂ）は、分光透過率の測定結果を示す図である。また、図４の（Ｃ）は、図４の（Ｂ）に示した分光透過率のうち、３６０ｎｍから４２０ｎｍまでの波長範囲を拡大したものである。ここに示す分光透過率は、本実施形態で適用可能な紫外線カット層をサンプルＳＰとして測定した結果に相当する。これによれば、紫外線カット層は、３８０ｎｍ以下の波長範囲の自然光の透過率が１０％以下であり、４００ｎｍ以上７００ｎｍ以下の波長範囲の自然光の透過率が８０％以上の分光特性を有している。また、この紫外線カット層の分光特性では、３７０ｎｍ以下の波長範囲では透過率がほぼゼロ％であり、４２０ｎｍ以上の波長範囲では透過率が９０％以上である。あるいは、この紫外線カット層の分光特性では、３８０ｎｍ以下の波長範囲の透過率が４２０ｎｍ以上の波長範囲の透過率の１０％以下である。
【００２７】
つまり、紫外線カット層は、可視光のほとんどを透過し、外観上は透明でありながら、紫外線のほとんどを遮蔽するものである。ここでの遮蔽とは、反射すること、及び、吸収することを含む。本実施形態で適用可能な第１紫外線カット層５１及び第２紫外線カット層５２としては、図４に示した分光特性を有するものが好適である。
【００２８】
本実施形態によれば、液晶層ＬＣは、第１紫外線カット層５１及び第２紫外線カット層５２の間に設けられている。第１紫外線カット層５１及び第２紫外線カット層５２は、表示装置ＤＳＰの外部から液晶層ＬＣに向かって照射される紫外線を遮蔽する。このため、液晶層ＬＣの紫外線による破壊あるいは劣化を抑制することができる。また、液晶層ＬＣに電圧を印加した散乱状態において、液晶層ＬＣの劣化に起因した散乱輝度の低下を抑制することができる。また、液晶層ＬＣの印加電圧がしきい値電圧未満の透明状態において、液晶層ＬＣの劣化に起因した透過率の低下を抑制することができる。
【００２９】
加えて、第１構成例によれば、第２紫外線カット層５２は、透明基板２０及び３０を貼り合わせる粘着層としての機能を兼ね備えている。このため、粘着層の他に、別途第２紫外線カット層を設ける場合と比較して、部品点数、材料コスト、及び、製造プロセスを削減することができ、また、表示装置ＤＳＰの厚さの増大を抑制することができる。
【００３０】
《第１構成例：変形例》  
図５は、表示装置ＤＳＰの変形例を概略的に示す断面図である。  
図５の（Ａ）に示す第１変形例では、透明基板３０の外面３０Ｂに光学層ＯＬが設けられている。光学層ＯＬは、例えば、反射防止層、防指紋（anti-fingerprint）コーティング、保護層などである。第１紫外線カット層５１は、外面１０Ａに直接形成されたものである。  
図５の（Ｂ）に示す第２変形例では、第１紫外線カット層５１は、フィルム部材として形成されたものであり、透明な粘着層５３により外面１０Ａに貼り合わされている。  
図５の（Ｃ）に示す第３変形例では、第１紫外線カット層５１は、透明基板１０の外面１０Ａと透明基板４０の内面４０Ｂとの間に介在し、透明基板１０と透明基板４０とを貼り合わせる粘着層として機能するものである。透明基板４０は、例えば、透明基板１０と同様のガラス基板である。  
図５の（Ｄ）に示す第４変形例では、第１紫外線カット層５１は、透明基板１０の外面１０Ａと透明な樹脂フィルム４１の内面４１Ｂとの間に介在し、透明基板１０と樹脂フィルム４１とを貼り合わせる粘着層として機能するものである。
【００３１】
このような各変形例においても、上記したのと同様の効果が得られる。加えて、例えば、第１変形例によれば、外面３０Ｂの側から観察した際に、背景の視認性、あるいは、表示画像の視認性が向上する。また、第３変形例によれば、表示パネルＰＮＬの剛性が向上する。また、第４変形例によれば、ガラス基板である透明基板１０などが破損した際に、ガラスの飛散が樹脂フィルム４１によって防止される。
【００３２】
《第２構成例》  
図６は、表示装置ＤＳＰの第２構成例を示す断面図である。  
図６に示す第２構成例は、図３に示す第１構成例と比較して、第２紫外線カット層５２が透明基板３０の外面３０Ｂに設けられた点で相違している。透明基板２０及び３０は、透明な粘着層５４により貼り合わされている。粘着層５４は、透明基板２０及び３０の各々と同等の屈折率を有している。液晶層ＬＣについては図示を省略しているが、第１構成例と同様に、透明基板１０及び２０の間に設けられている。つまり、第２構成例においても、第１構成例と同様に、液晶層ＬＣは、第１紫外線カット層５１及び第２紫外線カット層５２の間に設けられている。したがって、第２構成例によれば、第１構成例と同様の効果が得られる。
【００３３】
《第３構成例》  
図７は、表示装置ＤＳＰの第３構成例を示す断面図である。  
図７に示す第３構成例は、図３に示す第１構成例と比較して、第１紫外線カット層５１が透明基板１０より小さい屈折率を有している点で相違している。例えば、透明基板１０の屈折率ｎ１は１．５１であり、第１紫外線カット層５１の屈折率ｎ２は１．４３である（ｎ１＞ｎ２）。なお、上記の通り、透明基板２０及び３０、及び、第２紫外線カット層５２のそれぞれの屈折率は、屈折率ｎ１と同等である。  
図７に示す例では、表示装置ＤＳＰは、透明な保護部材６１を備えている。第１紫外線カット層５１は、透明基板１０と保護部材６１とを貼り合わせる粘着層として機能する。
【００３４】
このような第３構成例によれば、第１構成例と同様の効果が得られる。加えて、発光素子ＬＤから出射された光Ｌ１のうち、透明基板１０に入射した光Ｌ１は、透明基板１０と第１紫外線カット層５１との界面で反射される。このため、光Ｌ１のうち、保護部材６１に導かれる光、あるいは、表示装置ＤＳＰの外部に導かれる光を低減することができる。このため、光Ｌ１の漏れ出しに起因した光の減衰を抑制することができる。また、たとえ保護部材６１に微小な傷が形成された場合や、保護部材６１に指紋等の汚れが付着した場合であっても、これらの部位での不所望な散乱を抑制することができる。
【００３５】
《第４構成例》  
図８は、表示装置ＤＳＰの第４構成例を示す断面図である。  
図８に示す第４構成例は、図６に示す第２構成例と比較して、第１紫外線カット層５１が透明基板１０より小さい屈折率を有し、第２紫外線カット層５２が透明基板３０より小さい屈折率を有している点で相違している。例えば、透明基板１０の屈折率ｎ１及び透明基板３０の屈折率ｎ３は１．５１であり、第１紫外線カット層５１の屈折率ｎ２及び第２紫外線カット層５２の屈折率ｎ４は１．４３である（ｎ１＞ｎ２、ｎ３＞ｎ４）。なお、上記の通り、透明基板２０及び粘着層５４のそれぞれの屈折率は、屈折率ｎ１と同等である。  
図８に示す例では、表示装置ＤＳＰは、透明な保護部材６１及び６２を備えている。第１紫外線カット層５１は、透明基板１０と保護部材６１とを貼り合わせる粘着層として機能する。第２紫外線カット層５２は、透明基板３０と保護部材６２とを貼り合わせる粘着層として機能する。
【００３６】
このような第４構成例によれば、第１構成例と同様の効果が得られる。加えて、発光素子ＬＤから出射された光Ｌ１のうち、透明基板１０に入射した光Ｌ１は透明基板１０と第１紫外線カット層５１との界面で反射され、透明基板３０に入射した光Ｌ１は透明基板３０と第２紫外線カット層５２との界面で反射される。このため、第３構成例と同様に、光Ｌ１の漏れ出しに起因した光の減衰を抑制することができる。また、たとえ保護部材６１及び６２における不所望な散乱を抑制することができる。
【００３７】
《第５構成例》  
図９は、表示装置ＤＳＰの第５構成例を示す断面図である。  
図９に示す第５構成例は、図３に示す第１構成例と比較して、第１紫外線カット層５１と透明基板１０との間に空気層７０が設けられている点で相違している。図９に示す例では、第１紫外線カット層５１は、タッチセンサ８０に設けられている。タッチセンサ８０は、簡略化して図示しているが、透明な支持基材８１と、支持基材８１に設けられた透明なセンサ電極８２と、を備えている。支持基材８１は、フィルム部材であってもよいしガラス基板であってもよい。センサ電極８２は、上記の透明導電材料によって形成された透明電極である。配線基板８３は、センサ電極８２と電気的に接続され、センサ電極８２を駆動するための信号やセンサ電極８２からの検出信号等の伝送路を形成している。このようなタッチセンサ８０は、透明な保護部材８４と透明基板１０との間に設けられている。
【００３８】
第１紫外線カット層５１は、保護部材８４とタッチパネル８０とを貼り合わせる粘着層として機能する。スペーサ８５は、タッチパネル８０と透明基板１０との間に設けられている。図９に示す例では、スペーサ８５は、透明基板１０と支持基材８１との間に設けられている。スペーサ８５は、表示部ＤＡの外側、あるいは、シールＳＥと重畳する領域に設けられている。例えば、スペーサ８５は、平面視において図１に示すシールＳＥと同様の枠状に形成されている。スペーサ８５は、表示部ＤＡと重畳する領域において透明基板１０と支持基材８１との間に空気層７０を形成するとともに、表示部ＤＡの外側で透明基板１０と支持基材８１とを貼り合わせる粘着層として機能する。
【００３９】
このような第５構成例によれば、第１構成例と同様の効果が得られる。加えて、発光素子ＬＤから出射された光Ｌ１のうち、透明基板１０に入射した光Ｌ１は透明基板１０と空気層７０との界面で反射される。このため、第３構成例と同様に、光Ｌ１の漏れ出しに起因した光の減衰を抑制することができる。また、タッチパネル８０を操作する指等が保護部材８４に触れた際、たとえ、保護部材８４に指紋等の汚れが付着した場合であっても、これらの部位での不所望な散乱を抑制することができる。また、たとえ保護部材８４に微小な傷が形成された場合であっても、これらの部位での不所望な散乱を抑制することができる。
【００４０】
なお、透明基板１０の外面１０Ａ、及び、透明基板３０の外面３０Ｂの少なくとも一方に、透明な保護部材や、反射防止層等の光学層が設けられてもよい。
【００４１】
《第６構成例》  
図１０は、表示装置ＤＳＰの第６構成例を示す断面図である。  
図１０に示す第６構成例は、図６に示す第２構成例と比較して、第２紫外線カット層５２が液晶層ＬＣと透明基板２０との間に設けられた点で相違している。図１０に示す例では、第１紫外線カット層５１は透明基板１０の外面１０Ａに設けられ、第２紫外線カット層５２は透明基板２０の内面２０Ａに設けられている。但し、第２紫外線カット層５２は、内面２０Ａに直接形成される例に限らず、液晶層ＬＣと透明基板２０との間のどこに設けられてもよいし、配向膜ＡＬ２と置換されてもよい。第２紫外線カット層５２は、透明基板２０と同等の屈折率を有している。また、第１紫外線カット層５１は、外面１０Ａに直接形成される例に限らず、例えば、図９に示す第５構成例の如く、第１紫外線カット層５１と透明基板１０との間に空気層７０が設けられてもよい。  
このような第６構成例によれば、第１構成例と同様の効果が得られる。
【００４２】
《第７構成例》  
図１１は、表示装置ＤＳＰの第７構成例を示す断面図である。  
図１１に示す第７構成例は、図３に示す第１構成例と比較して、第１紫外線カット層５１が透明基板１０と液晶層ＬＣとの間に設けられた点で相違している。図１１に示す例では、第１紫外線カット層５１は透明基板１０の内面１０Ｂに設けられ、第２紫外線カット層５２は透明基板２０及び３０の間に設けられている。但し、第１紫外線カット層１２は、内面１０Ｂに直接形成される例に限らず、透明基板１０と液晶層ＬＣとの間のどこに設けられてもよいし、配向膜ＡＬ１と置換されてもよい。第１紫外線カット層５１は、透明基板１０と同等の屈折率を有している。また、第２紫外線カット層５２は、例えば、図６に示す第２構成例の如く、透明基板３０の外面３０Ｂに設けられてもよい。  
このような第７構成例によれば、第１構成例と同様の効果が得られる。
【００４３】
《第８構成例》  
図１２は、表示装置ＤＳＰの第８構成例を示す断面図である。  
図１２に示す第８構成例は、図１０に示す第６構成例及び図１１に示す第７構成例の組み合わせに相当する。すなわち、第１紫外線カット層５１は透明基板１０と液晶層ＬＣとの間に設けられ、第２紫外線カット層５２は液晶層ＬＣと透明基板２０との間に設けられている。なお、図１２に示す例では、透明基板３０を省略しているが、図１０に示す第６構成例の如く、粘着層５４を介して透明基板２０及び３０が貼り合わされてもよい。  
このような第８構成例によれば、第１構成例と同様の効果が得られる。
【００４４】
上記の第１乃至第８構成例は、適宜組み合わせることができる。
【００４５】
《第９構成例》  
図１３は、表示装置ＤＳＰの第９構成例を示す分解斜視図である。ここでは、配線基板１、ＩＣチップ２、及び、光源装置３の図示を省略している。
【００４６】
透明基板２０は、図３を参照して説明した側面（第１側面）２０Ｃの他に、側面（第２側面）２０Ｄ、２０Ｅ、及び、２０Ｆを備えている。透明基板１０も同様に、側面１０Ｄ、１０Ｅ、及び、１０Ｆを備えている。透明基板３０も同様に、側面３０Ｄ、３０Ｅ、及び、３０Ｆを備えている。  
表示装置ＤＳＰは、第３紫外線カット層９１乃至９３を備えている。第３紫外線カット層９１は、側面１０Ｄ、２０Ｄ、３０Ｄに設けられている。第３紫外線カット層９２は、側面１０Ｅ、２０Ｅ、３０Ｅに設けられている。第３紫外線カット層９３は、側面１０Ｆ、２０Ｆ、３０Ｆに設けられている。なお、第３紫外線カット層９１乃至９３は、互いに繋がっていてもよい。第３紫外線カット層９１乃至９３は、第１紫外線カット層５１等と同様に透明であってもよいし、着色されていてもよい。第３紫外線カット層９１乃至９３は、少なくとも３８０ｎｍ以下の波長範囲の自然光の透過率が１０％以下である分光特性を有している。
【００４７】
図１４は、図１３に示した表示装置ＤＳＰの平面図である。第３紫外線カット層９１乃至９３は、表示装置ＤＳＰの外部から照射される紫外線（ＵＶ）を遮蔽する。たとえ液晶層ＬＣを囲むシールＳＥが紫外線を透過する分光特性を有していたとしても、シールＳＥの外側に設けられた第３紫外線カット層９１乃至９３により、液晶層ＬＣへの紫外線の到達が抑制される。
【００４８】
このような第９構成例は、上記の第１乃至第８構成例と適宜組み合わせることができる。つまり、表示装置ＤＳＰにおいて、透明基板１０の外面１０Ａ側からの紫外線は第１紫外線カット層５１によって遮蔽され、透明基板２０の外面２０Ｂ側（あるいは透明基板３０の外面３０Ｂ側）からの紫外線は第２紫外線カット層５２によって遮蔽され、透明基板１０乃至３０の側面からの紫外線は、第３紫外線カット層９１乃至９３によって遮蔽される。これにより、液晶層ＬＣの紫外線による破壊あるいは劣化を抑制することができ、長寿命化が可能となる。
【００４９】
《第９構成例；第１変形例》  
図１５は、第９構成例における表示装置ＤＳＰの第１変形例を示す平面図である。図１５に示す第１変形例は、第３紫外線カット層９１乃至９３が不透明であり、反射層を含むものである。すなわち、第３紫外線カット層９１乃至９３は、外部からの紫外線を遮蔽するとともに、発光素子ＬＤからの光Ｌ１を反射する。つまり、表示部ＤＡを経てシールＳＥを透過した光Ｌ１は、再び表示部ＤＡに向けて反射される。これにより、表示部ＤＡのうち、発光素子ＬＤから遠く離れた領域においても、第３紫外線カット層９１乃至９３からの反射光が表示に寄与するため、輝度の低下（あるいは発光素子ＬＤに近接する領域との輝度差）が緩和される。
【００５０】
《第９構成例；第２変形例》  
図１６は、第９構成例における表示装置ＤＳＰの第１変形例を示す平面図である。図１６に示す第２変形例は、表示パネルＰＮＬの周縁部ＰＮＬＥが筐体１００によって囲まれた点で相違している。図１６に示す例では、枠状の筐体１００が第３紫外線カット層として機能し、筐体１００は、周縁部ＰＮＬＥの全周に亘って囲んでいる。また、配線基板１、ＩＣチップ２、及び、光源装置３は、筐体１００に収容されている。  
このような第１０構成例は、上記の第１乃至第８構成例と適宜組み合わせることができる。したがって、第１０構成例によれば、第９構成例と同様の効果が得られる。
【００５１】
以上説明したように、本実施形態によれば、表示品位の低下を抑制することが可能な表示装置を提供することができる。
【００５２】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００５３】
本明細書にて開示した構成から得られる表示装置の一例を以下に付記する。  
（１）
発光素子と、
第１透明基板と、
前記第１透明基板に設けられた第１透明電極と、
前記発光素子と向かい合う第１側面を備えた第２透明基板と、
前記第２透明基板に設けられた第２透明電極と、
前記第１透明電極と前記第２透明電極との間に位置し、ポリマー及び液晶分子を含む液晶層と、
第１紫外線カット層と、
第２紫外線カット層と、を備え、
前記液晶層は、前記第１紫外線カット層と前記第２紫外線カット層との間に設けられている、表示装置。
（２）
前記第１紫外線カット層及び前記第２紫外線カット層の各々は、３８０ｎｍ以下の波長範囲の自然光の透過率が１０％以下であり、４００ｎｍ以上７００ｎｍ以下の波長範囲の自然光の透過率が８０％以上の分光特性を有している、（１）に記載の表示装置。
（３）
第３透明基板を備え、
前記第２紫外線カット層は、前記第２透明基板と前記第３透明基板とを貼り合わせる粘着層である、（１）または（２）に記載の表示装置。
（４）
前記第２紫外線カット層は、前記第２透明基板及び前記第３透明基板の各々と同等の屈折率を有している、（３）に記載の表示装置。
（５）
第３透明基板と、
前記第２透明基板と前記第３透明基板とを貼り合わせる粘着層と、を備え、
前記第２紫外線カット層は、前記第３透明基板の外面に設けられている、（１）または（２）に記載の表示装置。
（６）
前記第２紫外線カット層は、前記第３透明基板より小さい屈折率を有している、（５）に記載の表示装置。
（７）
前記第２紫外線カット層は、前記液晶層と前記第２透明基板との間に設けられている、（１）または（２）に記載の表示装置。
（８）
前記第１紫外線カット層は、前記第１透明基板の外面に設けられている、（１）乃至（７）のいずれか１項に記載の表示装置。
（９）
前記第１紫外線カット層は、前記第１透明基板より小さい屈折率を有している、（８）に記載の表示装置。
（１０）
前記第１紫外線カット層と前記第１透明基板との間に空気層が設けられている、（１）乃至（７）のいずれか１項に記載の表示装置。
（１１）
前記第１紫外線カット層は、前記第１透明基板と前記液晶層との間に設けられている、（１）乃至（７）のいずれか１項に記載の表示装置。
（１２）
前記第２透明基板は、前記第１側面とは異なる第２側面を備え、
前記第２側面に設けられた第３紫外線カット層を備えている、（１）乃至（１１）のいずれか１項に記載の表示装置。
（１３）
発光素子と、
第１透明基板と、
前記第１透明基板に設けられた第１透明電極と、
前記発光素子と向かい合う第１側面を備えた第２透明基板と、
前記第２透明基板に設けられた第２透明電極と、
前記第１透明電極と前記第２透明電極との間に位置し、ポリマー及び液晶分子を含む液晶層と、
第３透明基板と、
前記第１透明基板の外面に設けられた第１紫外線カット層と、
前記第２透明基板と前記第３透明基板とを貼り合わせる第２紫外線カット層と、
を備えている、表示装置。
（１４）
発光素子と、
第１透明基板と、
前記第１透明基板に設けられた第１透明電極と、
前記発光素子と向かい合う第１側面を備えた第２透明基板と、
前記第２透明基板に設けられた第２透明電極と、
前記第１透明電極と前記第２透明電極との間に位置し、ポリマー及び液晶分子を含む液晶層と、
第３透明基板と、
保護部材と、
前記保護部材と前記第１透明基板とを貼り合わせる第１紫外線カット層と、
前記第２透明基板と前記第３透明基板とを貼り合わせる第２紫外線カット層と、
を備え、
前記第１紫外線カット層は、前記第１透明基板より小さい屈折率を有している、表示装置。
（１５）
発光素子と、
第１透明基板と、
前記第１透明基板に設けられた第１透明電極と、
前記発光素子と向かい合う第１側面を備えた第２透明基板と、
前記第２透明基板に設けられた第２透明電極と、
前記第１透明電極と前記第２透明電極との間に位置し、ポリマー及び液晶分子を含む液晶層と、
第３透明基板と、
第１紫外線カット層と、
前記第２透明基板と前記第３透明基板とを貼り合わせる第２紫外線カット層と、を備え、
前記第１紫外線カット層と前記第１透明基板との間に空気層が設けられている、表示装置。
（１６）
発光素子と、
第１透明基板と、
前記第１透明基板に設けられた第１透明電極と、
前記発光素子と向かい合う第１側面を備えた第２透明基板と、
前記第２透明基板に設けられた第２透明電極と、
前記第１透明電極と前記第２透明電極との間に位置し、ポリマー及び液晶分子を含む液晶層と、
前記第１透明基板の外面に設けられた第１紫外線カット層と、
前記液晶層と前記第２透明基板との間に設けられた第２紫外線カット層と、
を備えている、表示装置。
（１７）
発光素子と、
第１透明基板と、
前記第１透明基板に設けられた第１透明電極と、
第２透明基板と、
前記第２透明基板に設けられた第２透明電極と、
前記第１透明電極と前記第２透明電極との間に位置し、ポリマー及び液晶分子を含む液晶層と、
第１紫外線カット層と、
第２紫外線カット層と、
第３紫外線カット層と、を備え、
前記液晶層は、前記第１紫外線カット層と前記第２紫外線カット層との間に設けられ、
前記第２透明基板は、前記発光素子と向かい合う第１側面と、前記第１側面とは異なる第２側面と、を備え、
前記第３紫外線カット層は、前記第２側面に設けられている、表示装置。
【符号の説明】
【００５４】
ＤＳＰ…表示装置  ＰＮＬ…表示パネル  ＬＤ…発光素子
ＳＵＢ１…第１基板  １０…透明基板  ＳＷ…スイッチング素子  ＰＥ…画素電極
ＳＵＢ２…第２基板  ２０…透明基板  ＣＥ…共通電極
ＬＣ…液晶層  ３１…ポリマー  ３２…液晶分子
３０…透明基板
５１…第１紫外線カット層  ５２…第２紫外線カット層  ５３…第３紫外線カット層
【図１】
2020181050.tif 000003
【図２】
2020181050.tif 000004
【図３】
2020181050.tif 000005
【図４】
2020181050.tif 000006
【図５】
2020181050.tif 000007
【図６】
2020181050.tif 000008
【図７】
2020181050.tif 000009
【図８】
2020181050.tif 000010
【図９】
2020181050.tif 000011
【図１０】
2020181050.tif 000012
【図１１】
2020181050.tif 000013
【図１２】
2020181050.tif 000014
【図１３】
2020181050.tif 000015
【図１４】
2020181050.tif 000016
【図１５】
2020181050.tif 000017
【図１６】
2020181050.tif 000018